(57)【要約】      （修正有）【課題】浮上分離槽で浮上するスカムを圧縮作用で脱水しながら掻揚排出することにより排出後の搬送が省エネのもとに可能となりしかも搬送先でのスカムと水分との分離工程を極力簡略化することができるようにした加圧浮上式スカム分離処理装置を提供する。【解決手段】収集したスカム含有汚水を加圧式空気溶解装置４５により発生する水とともに浮上分離槽２内に噴出させてスカムを同浮上分離槽２内に浮上させ、掻揚スクリュウ２３とスカムガイド１９付きスカム取込口２０および掻揚スクリュウ用回転駆動手段４０とを有したスクリュウコンベア１７で浮上したスカムを排出する。【選択図】図１
2014012263.tif 000002
【特許請求の範囲】
【請求項１】
収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するようにした加圧浮上式スカム分離処理装置において、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上したスカムを取り込み可能に構成されている加圧浮上式スカム分離処理装置。
【請求項２】
請求項１に記載のものにおいて、浮上分離槽内には、浮上してくるスカムを斜面ガイドを通じてスカム取込口へ誘導するスカムガイドが設けられている加圧浮上式スカム分離処理装置。
【請求項３】
請求項１または２に記載のものにおいて、掻揚スクリュウの少なくともスカム取込口に対応する長さ分の周縁部には、前記傾斜方向上方へ向けて突出する掬い揚げ突条が設けられている加圧浮上式スカム分離処理装置。
【請求項４】
請求項１から３のいずれかに記載のものにおいて、掻揚スクリュウの傾斜方向上方側には掻き揚げられてくるスカムを受け止めながら進退する圧縮受盤とこの圧縮受盤に背部から弾発力を作用させる弾発手段とが設けられて掻き揚げられてくるスカムを圧縮して排出口を通じて排出可能に構成されている加圧浮上式スカム分離処理装置。
【請求項５】
収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、同タンクは複数槽を構成すべく配置されて浮上分離槽へのスカム含有汚水の供給運転が選択的になされるように構成されている加圧浮上式スカム分離処理装置。
【請求項６】
収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、前記空気溶解槽は、一定以上の内圧により開くウエイト式フラップ弁を内蔵するものとされている加圧浮上式スカム分離処理装置。
【発明の詳細な説明】
【技術分野】
【０００１】  本発明は、加圧浮上式スカム分離処理装置に関する。
【背景技術】
【０００２】  収集したスカム含有汚水を浮上分離槽に導入するに当って加圧によりエアーを溶解させた水を伴って減圧下で噴出させてスカムの浮上を促進させることにより浮上したスカムを上部より排出するようにした加圧浮上方式は既に知られている技術である。そうした技術に関連するものとして、特許文献１に開示された技術がある。
【先行技術文献】
【特許文献】
【０００３】
【特許文献１】特許第４２３８２９７号
【発明の概要】
【発明が解決しようとする課題】
【０００４】  上記特許文献１による技術は、浮上したスカムを加圧浮上濃縮槽（浮上分離槽）に設けられたスカム排出トラフに向けて掻寄せるスクレーパと、前記加圧浮上濃縮槽の槽壁上部で、かつ、湾曲中心位置がその加圧浮上濃縮槽側に位置するように形成された湾曲面と、回転軸を有するとともに、その回転軸に羽根を有する、前記スクレーパで掻寄せられたスカムを前記スカム排出トラフに排出する前記湾曲面近くに設けられた排出機と、前記排出機の回転軸を回転駆動するとともに、その回転数を調整する機能を有する駆動源と、を有することを特徴とする。
このスカム加圧浮上濃縮装置は、浮上したスカムを加圧浮上濃縮槽から排出されたスカムを遠く離れたスカム処理施設へ円滑に搬送できるようにしたものであるが、浮上させたスカムを排出する手段は、掻寄板を外周に突設したチェーンであるスクレーパと、湾曲面に添って運動する掻上羽根付きで回転軸回りを回転する排出機とでなり、排出機からのスカムをスカム排出トラフへ排出するようにしたものであり、従って、浮上したスカムが水分を充分に含んだまま排出されるため、スカム処理施設への搬送に無駄な電力が消費し、しかも搬送先でスカムと水分とを再度分離する必要が出てくる。【０００５】  本発明は、こうした問題を解決しようとするものであり、浮上分離槽で浮上するスカムを圧縮作用で水切りしながら掻揚排出することにより排出後の搬送を省エネのもとに可能とししかも搬送先でのスカムと水分との分離工程を極力簡略化することができるようにした加圧浮上式スカム分離処理装置を提供することを目的とする。
【課題を解決するための手段】
【０００６】  本発明は上記目的を達成するため、請求項１に記載の発明は、収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するようにした加圧浮上式スカム分離処理装置において、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上したスカムを取り込み可能に構成されている。
請求項２に記載の発明は、請求項１に記載のものにおいて、浮上分離槽内には、浮上してくるスカムを斜面ガイドを通じてスカム取込口へ誘導するスカムガイドが設けられている。
請求項３に記載の発明は、請求項１または２に記載のものにおいて、掻揚スクリュウの少なくともスカム取込口に対応する長さ分の周縁部には、前記傾斜方向上方へ向けて突出する掬い揚げ突条が設けられている。
請求項４に記載の発明は、請求項１から３のいずれかに記載のものにおいて、掻揚スクリュウの傾斜方向上方側には掻き揚げられてくるスカムを受け止めながら進退する圧縮受盤とこの圧縮受盤に背部から弾発力を作用させる弾発手段とが設けられて掻き揚げられてくるスカムを圧縮して排出口を通じて排出可能に構成されている。
請求項５に記載の発明は、収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、同タンクは複数槽を構成すべく配置されて浮上分離槽へのスカム含有汚水の供給運転が選択的になされるように構成されている。
請求項６に記載の発明は、収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、前記空気溶解槽は、一定以上の内圧により開くウエイト式フラップ弁を内蔵するものとされている。
【発明の効果】
【０００７】  上述したように請求項１に記載の発明は、収集したスカム含有汚水を加圧によりエアーを溶解させる加圧式空気溶解装置により発生する水とともに浮上分離槽内に噴出させてスカムを同浮上分離槽内に浮上させるとともに浮上したスカムをスカム排出装置により排出するようにした加圧浮上式スカム分離処理装置において、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上したスカムを取り込み可能に構成されているので、浮上分離槽で浮上するスカムを圧縮作用で脱水しながら掻揚排出することにより排出後の搬送が省エネのもとに可能となりしかも搬送先でのスカムと水分との分離工程を極力簡略化することができるようにした加圧浮上式スカム分離処理装置を提供することができる。
請求項２に記載の発明は、請求項１に記載のものにおいて、浮上分離槽内には、浮上してくるスカムを斜面ガイドを通じてスカム取込口へ誘導するスカムガイドが設けられているので、浮上してくるスカムのスクリュウコンベア内への取り込みが余すところなく確実になされるようになる。
請求項３に記載の発明は、請求項１または２に記載のものにおいて、掻揚スクリュウの少なくともスカム取込口に対応する長さ分の周縁部には、前記傾斜方向上方へ向けて突出する掬い揚げ突条が設けられているので、回転してくる掬い揚げ突条が、浮上してきたスカムを確実に掬い揚げることによって掻き揚げ作用を確実かつ多量化し、掬い揚げミスをなくすことができるとともに、圧縮作用によるスカムの脱水作用を積極的なものとし、さらに掬い揚げ突条の存在はスクリュウコンベアの補強にもなる。
請求項４に記載の発明は、請求項１から３のいずれかに記載のものにおいて、掻揚スクリュウの傾斜方向上方側には掻き揚げられてくるスカムを受け止めながら進退する圧縮受盤とこの圧縮受盤に背部から弾発力を作用させる弾発手段とが設けられて掻き揚げられてくるスカムを圧縮して排出口を通じて排出可能に構成されているので、更なる脱水作用を得たスカムとして排出することができるようになる。
請求項５に記載の発明は、収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、同タンクは複数槽を構成すべく配置されて浮上分離槽へのスカム含有汚水の供給運転が選択的になされるように構成されているので、スカム含有汚水が多量化しても複数槽をもつ加圧タンクを順次選択的に運転することによって浮上分離槽への供給が不足なく行われるようになる。複数槽とは、１つのタンクに１つの槽を形成したものを複数配置する形式によるもののほか、１つのタンクに複数の槽を併設する形式のものもここに含まれる。
請求項６に記載の発明は、収集したスカム含有汚水を加圧によりエアーを溶解させる加圧水発生装置により発生する水とともに浮上分離槽内に噴出させてスカムを同浮上分離槽内に浮上させるとともに浮上したスカムをスカム排出装置により排出するようにした加圧浮上式スカム分離処理装置において、前記加圧水発生装置は、空気溶解槽を備え、この空気溶解槽は、浮上分離槽からの分離水とブロアあるいはコンプレッサなどの給気手段からの空気とを混合して分離水中に空気を溶解する加圧タンク式とされるとともに、前記空気溶解槽は、一定以上の内圧により開くウエイト式フラップ弁を内蔵するものとされているので、空気の溶解度を簡単でトラブルの少ない構造のものによって一定化することができるようになる。
【図面の簡単な説明】
【０００８】
【図１】  本発明の加圧浮上式スカム分離処理装置の一実施形態を示す模式図。
【図２】  図１のＡ部を拡大して示す断面図。
【図３】  図２のＩＩＩ−ＩＩＩ線に沿う拡大断面図。
【図４】  図１のスカムガイドの詳細をスクリュウコンベアとの関係において示す分解斜視図。
【図５】  掬い揚げ突条の他の実施形態を示す断面図。
【図６】  図１のＢ部を拡大して示す断面図。
【図７】  図６のＶＩＩ−ＶＩＩ線断面図。
【図８】  空気溶解槽についての他の実施形態を示す模式断面図。
【図９】  加圧式空気溶解装置の他の実施形態を示す模式図。
【図１０】  付加ウエイトの構成例を示す断面図。
【図１１】  空気溶解槽の他の実施形態を示す模式図。
【発明を実施するための形態】
【０００９】  以下、本発明である加圧浮上式スカム分離処理装置の一実施形態を図１ないし４に基づいて説明する。尚、以下、浮上分離装置や加圧水発生装置などは金属材料、特にステンレス材を使用することを基本とするが、そのことに限定されない。
【００１０】  図１において、１は浮上分離装置で、上方を開放状とし上からみて矩形槽とした浮上分離槽２を備える。浮上分離槽２は、槽本体３と分離槽５とを仕切り壁４を介して有し、これら槽本体３と分離槽５内には、レベルＨまで汚水６および分離水７が溜められる。８は連通管で、槽本体３と分離槽５とをつなぐパイプで、前後端にフィルター９を備えて浄化された水が分離水７として分離槽５内に導入されるようになっている。１０はオーバーフロー口で、前記水位Ｈを決めるもので、その水位Ｈは可動堰により上下に調節可能としてもよい。分離槽５内の分離水７は、このオーバーフロー口１０を通じて外部に排出される一方、分離槽５の底部からは、給水ポンプ１２の作動により給水管１１を通じて分離水７が引き抜かれ後述する加圧式空気溶解装置４５に導入するようになっている。
【００１１】  槽本体３内の下部には、減圧弁を兼ねた複数のノズル１３を備える供給管１４が槽本体３の前後方向に軸心を向けるようにして単一本あるいは複数本配備されている。この供給管１４には減圧弁を備えてもよい。
槽本体３と分離槽５とでなる浮上分離槽２の上部には、スカム排出装置であるスクリュウコンベア１７が約１５度傾斜した状態で固定設置されている。この傾斜角度は、２０度、３０度…のように変更することがある。スクリュウコンベア１７は、内径約３００ｍｍの円筒状をなすケーシング１８を備えるとともに、このケーシング１８の傾斜方向下部一端（テール側）は、閉止したものとされて槽本体３の前側（図１の左側）に固定支持される一方、傾斜方向上部一端（ヘッド側）は、同じく閉止したものとされて浮上分離槽２の後側（図１の右側）に張り出した状態で固定されている。
【００１２】  ２０はスカム取込口で、ケーシング１８の傾斜方向下部一端から傾斜方向上方へ離れた下周り位置に下からみると矩形の開口として形成されたもので、汚水６上に浮上してくるスカムＳを取り込むのに適応した位置に設けられている。２２はスクリュウ軸（あるいはパイプ）で、ケーシング１８の中心を通りその両端は軸受で回転自在に支持されるとともに、同スクリュウ軸２２の外周には掻揚スクリュウ２３が設けられている。掻揚スクリュウ２３は、板をラセン状にしたスクリュウ本体２３ａを備え、この本体２３ａは、上端がケーシング１８の上部端から７０ｃｍ程度手前に端部があるように形成されている。
【００１３】  本体２３ａのスカム取込口２０に対応する長さ以上の長さＬに亘る周縁部には、前記傾斜方向上方へ向けて突出する掬い揚げ突条２３ｂがラセン帯板として一体に設けられている。図３のように、この掬い揚げ突条２３ｂの突出量Ｗ１は、スクリュウ本体２３ａの外径Ｄを３００ｍｍとした場合、５０ｍｍ前後とされるが、Ｗ２のように７５ｍｍ前後としてもよく、また１００ｍｍ前後と大きく突出させることもある。この掬い揚げ突条２３ｂは、図３の右欄のようにアングル材をラセン状に形成した別体ものをスクリュウ本体２３ａの周縁に溶接あるいは止着固定してもよい。また、掬い揚げ突条２３ｂは、図４に示すように、丸ロッドや丸パイプあるいは角パイプ状のものにして溶接一体化するようにしてもよい。さらに、同掬い揚げ突条２３ｂは、Ｌに限定して一部に設けられているが、スクリュウ本体２３ａの全長に亘って設けてもよい。
【００１４】  ここで、図１、図２および図４の１９はスカムガイドを示す。浮上分離槽２の槽本体３は、その上方を開放したままにしてその槽内全面が水面となるようにして汚水６を溜めておきそこにスカムＳを浮上させる方式にしておくと、スカム取込口２０へのスカムＳの取り込みは消極的なものになる。そこで、汚水６から微細気泡とともに浮上してくるスカムＳをスカム取込口２０に確実かつ積極的に取り込めるようにスカムガイド１９を設けたものである。
【００１５】  スカムガイド１９は、図４にその詳細を示すように、前・後の斜面ガイドａ、ｂおよび左・右の斜面ガイドｃによる逆四角錐状のものとされて槽本体３内に周縁を隙間なく接することで固定されている。これら４面の斜面ガイドａ〜ｃの上部中央には、四角な連通筒ｅが一体に設けられている。尚、斜面ガイドｃは、直板を斜めにしたものであるが、湾曲した板材を使ってもよい。
【００１６】  この連通筒ｅは、左右の傾斜板状の対向壁ｆと前後の壁ｇ、ｈとを有する上下貫通状の筒部となっており、対抗壁ｆは、図４のケーシング１８のスカム取込口２０の外縁に添って溶接されるように構成される一方、前後のうち前側の壁ｇは低く後側ｈを高くしてその上側に半円より短い円弧形の嵌合受溝ｉ、ｊを形成することで、これら嵌合受溝ｉ、ｊにスカム取込口２０の前後の外縁部が嵌まり込んで溶接されるようになっている。このように連通筒ｅがスカム取込口２０の外縁に適合することで、浮上してきたスカムＳが途中で詰まったりすることなく取り込まれることになる。図１および図２におけるＨは、汚水６の水面を示し、この水面Ｈは、連通筒ｅの嵌合受溝ｊの溝底高さ程度とされている。
【００１７】  尚、図４の右上に示すように、左右の壁ｆには取付フランジｋを設けて止着具ｍによりケーシング１８に脱着可能に構成してもよい。取付作業が簡略になるとともにメンテナンスも至便になる。前後の壁ｇ，ｈの湾曲する縁部に沿った湾曲板状をした取付フランジを設けて同じく脱着可能にしてもよい。
【００１８】  スクリュウ軸２２の傾斜方向上部周りには、図５および図６に示すように、圧縮受盤２６が装備されている。圧縮受盤２６は、ケーシング１８の内径よりも少し小さい外径をもった円板状の受板２７を本体として備え、同受板２７の中心に備えた中央ボス２８に滑動しやすい円筒樹脂製の内スライダ２９を備えてスクリュウ軸２２周りを軸方向に進退自在とし、さらに受板２７の外周にも滑動しやすい円筒樹脂製の外スライダ３０を備え付けてケーシング１８内周に添って進退自在にしてある。そして、受板２７の背部には、複数のガイドパイプ３１を突設する一方、ケーシング１８の端面側に突設したガイドバー３２を各ガイドパイプ３１に摺動自在に嵌め入れてある。ガイドバー３２周りには弾発手段である反発バネ３３を備えて掻揚スクリュウ２３によって掻き揚げられてきたスカムに圧縮作用を加えるべく圧縮受盤２６に反発力を常時与えるように構成されている。
【００１９】  ３５排出口で、ケーシング１８の傾斜方向上部下周りに開設され、同排出口３５の傾斜方向下端開口縁よりも傾斜方向下方寄り位置に復帰時の圧縮受盤２６が位置するようになっている。排出口３５には、搬送コンベア３６上のコンテナ３７内に圧縮済みのスカムを落とし込むためのシュート３８が設けられている。図１の４０は減速モーターである駆動源（駆動手段）で、伝導手段４１を介してスクリュウ軸２２を図５の矢印方向に回転駆動させるようになっている。
尚、図１の右上に示すように、掻揚スクリュウ２３を傾斜方向上方の端まで設けたものをここで排除するものではない。
また、シュート３８からのスカムは、ベルトなどのコンベアで直接搬送することもあるし、コンベアによらず移動可能なコンテナ３７に収集して搬送することもある。
【００２０】  図１における４５は加圧式空気溶解装置で、複数の空気溶解槽４６…を備える。各空気溶解槽４６には、並列式の入側配管４７を通じて前記給水管１１が連通されるとともに、出側配管４８とそれをまとめた合流管４９を通じて前記供給管１４に連通式に接続がなされている。各空気溶解槽４６の入側と出側には自動弁５０，５１が設けられている。尚、空気溶解槽４６は、２本配備されているが、後述するスカム含有汚水の収集量に適応すべく３本以上設けることがある。
【００２１】  空気溶解槽４６内には、その下部一側寄りに空気ノズル５３が設けられ、循環仕切板５４の周りを空気が循環運動しながら内水に空気が溶解するようになっている。空気ノズル５３は、各空気パイプ５５を通じてブロア（給気手段）５６に接続されている。ブロア５６はコンプレッサーに代えることができる。また、空気パイプ５５のそれぞれには空気自動弁５７が制御自在に設けられている。
【００２２】  ６０は汚水受槽で、沈澱池や濃縮槽などからの収集されたスカム含有汚水６１が導入されてくる。同受槽６０と前記合流管４９との間は汚水供給管６２で接続され、その管上には汚水ポンプ６３が設けられている。
【００２３】  この加圧浮上式スカム分離処理装置の作用を説明する。給水ポンプ１２を運転して分離槽５内の分離水７を利用して一方の空気溶解槽４６へ給水する。空気溶解槽４６への流入は入側自動弁５０（空気あるいは電動作動式）を開放してなされる。次に、一方の空気溶解槽４６に対応する自動弁５７を開くとともにブロア５６またはコンプレッサーを運転して空気ノズル５３によって微細化空気を空気溶解槽４６内に噴入することにより一方の空気溶解槽４６内の圧力を高めかつ内水を循環流とすることにより微細空気を内水に溶解させる。
その後、汚水ポンプ６３を運転してスカム含有汚水６１を汚水供給管６２まで送ると、それと同時に一方の空気溶解槽４６に対応する出側自動弁５１が開き、それによりスカム含有汚水と空気の溶解した加圧水とが混合し、その混合したものが、合流管４９および供給管１４からノズル１３…を通じて浮上分離槽２の本体槽３内に減圧された形で送り込まれる。
【００２４】  送り込まれた混合水からの微細気泡はスカムを付着して浮上してゆく。浮上したスカムＳはスカム取込口２０を通じて取り込まれて掻き揚げられてゆくが、スカム取込口２０へのスカムＳの取り込みは、スカムガイド１９による斜面ガイドにより円滑かつ確実になされる。スカム取込口２０からのスカムＳは、掻揚スクリュウ２３に付した掬い揚げ突条２３ｂによる掬い揚げ機能により確実に掬い揚げられることになる。掬い揚げられたスカムＳは、反発バネ３３に抗して圧縮受盤２６を押上げてゆき、図６の仮想線で示す圧縮受盤２６の位置より手前位置まで移動させながら脱水作用をし、さらに圧縮受盤２６を仮想線位置まで押上げてゆくことで排出口３５よりシュート３８へと排出する。一方、浮上分離槽２の本体槽３内の分離水は、その底部のフィルター９付き連通管８を通じて分離槽５内に導入されてオーバーフロー口１０を通じて排水される一方、前記のように加圧水として再利用される。
【００２５】  空気溶解槽４６が複数槽設けられていると、スカム含有汚水が多量化した場合に活用される。即ち、スカム含有汚水が通常量の場合には、一方の空気溶解槽４６のみで充足できるが、多量化した場合にはそれだけでは応じきれないので、他方の空気溶解槽４６も並行して運転し、図例の２本槽の場合には、一方の空気溶解槽４６において給水から加圧溶解をしさらに排出運転がなされる間それに時間差をもって並行して他方の空気溶解槽４６において同じ給水→加圧溶解→排出運転をすることで排出工程を連続して行うことができるものである。例えば、一方の空気溶解槽４６からの排出が終わるタイミングに他方の空気溶解槽４６からの排出開始タイミングを略合わせることで行われる。３本以上の空気溶解槽４６を構成した場合も同様のタイミングを設定する。
【００２６】  尚、一方の空気溶解槽４６からの排出が終わったあと一定の時間差をおいて他方の空気溶解槽４６の排出が開始されるようにタイミングをとってもよい。
また、空気溶解槽４６は、図８に示すように、多孔板や網状材などのエアー噴出材６６を外カバー６７の下開口に装着して微細エアーを導入可能にしてもよい。この場合、空気溶解槽４６内の残留分をドレンしたあとで空気噴出材６６を通じて空気を吹き込むことにより同空気噴出材６６の目詰まりを除去することができる。前記分離槽５には補給水管を通じて分離水を補充可能にしてもよい。
【００２７】  図９は他の実施形態を示している。この実施形態において浮上分離装置１は図１の実施形態と同様であるので同一符号を付して説明に代える。７０は加圧式空気溶解装置で、直径が５００ないし６００ｍｍ前後で軸心を水平に向けた横置タンク式の空気溶解槽７１を本体として備える。この空気溶解槽７１の一端には、分離槽５からの分離水７を給水ポンプ１２と流量調節式制御弁７２とを介して圧送する給水管１１が接続され、溶解槽７１の他端は流量調節式制御弁７３を介して合流管４９の手前である汚水供給管６２の下流端部に接続されている。合流管４９には、汚水ポンプ６３を介してスカム含有汚水６１を圧送してくる汚水供給管６２が接続されている一方、合流管４９の末端には、供給管１４が接続されている。
【００２８】  空気溶解槽７１は前部７１ａと後部７１ｂに分けたものを互いに内部が連通状をなしかつ分解も可能なようにフランジ接合してなる合体槽で形成され、その前蓋７１ｃは開閉可能に密閉される一方、後部末端には、細径筒状に突出する出口筒７１ｄが設けられ、この例では出口筒７１ｄは槽下側寄りに配置されている。７５はコンプレッサ（給気手段）、７６は流量調節式空気制御弁、７７は圧縮空気供給管、７８は空気ノズル、７９はオリフィス流量計である。空気ノズル７８は、空気溶解槽７１の前部７１ａ内の上流側底部に固定されている。８０は補助給気管で、一端はコンプレッサ７５からの配管途中に接続されて補助空気制御弁８１を備えるものとされ他端はオリフィス流量計７９を介して浮上分離槽２内底部の補助噴気管８２に接続されている。８３は補助噴気管８２に配備した補助噴気ノズルである。８４は空気抜き、８５は安全弁である。
【００２９】  空気溶解槽７１の後部７１ｂ前寄り上部には、連通口８６を形成するように上部仕切板８７が取り付けられ、この仕切板８７の下端に備えたヒンジ８８を介して下斜め向きに伸びたフラップ弁８９が取り付けられている。フラップ弁８９は、下端のストッパ９０により閉止状態とされる一方、図の右上がりに持ち上げられて開くようになっている。フラップ弁８９は金属板状で一定の重量をもつが、この実施形態では更に複数本の付加ウエイト９１を装着することで重量を付加して重くしてある。付加ウエイト９１は、図１０に断面を示すように、丸あるいは角パイプにキャップを蓋設したもので、その内部には、鉄やステンレス、鉛などの金属片や水、土粒などを適宜選定した内蔵ウエイト９１ａを充填する方式としてある。
【００３０】  分離槽５からの分離水７は、給水ポンプ１２により給水管１１を通じて送り込まれて空気溶解槽７１内へ送り込まれる一方、コンプレッサ７５からの空気は、空気制御弁７６を通じて圧縮空気供給管７７に持ち込まれ空気ノズル７８を通じて空気溶解槽７１内に送り込まれる。分離水と空気の送り込まれる一定時間内においては、フラップ弁８９は付加ウエイト９１を備えて重くしてあることで閉止状態を保ち、その閉止状態により前部７１ａ内では分離水の中に圧縮空気が溶解してゆく。そして、内圧が一定値を超えた時点でフラップ弁８９は開き始め、空気の溶解した水は後部７１ｂ内を経て槽７１外へと排出されて汚水供給管６２の末端部内に流れ込み、そこで空気溶解水はスカム含有汚水１６に合流して合流管４９を通じて供給管１４まで送られ、ノズル１３より槽２内の汚水６内に噴出・混合されてゆく。
その間、コンプレッサ７５からの空気は、補助給気管８０を通じて補助噴気ノズル８３から槽２内に噴出・混合される。
前記のように、重量化したフラップ弁８９により内圧制御しながら溶解水を分離槽内に送るようにしてあるので、内圧が下がればフラップ弁８９は閉方向に動作して内圧を高めて溶解度を上げるようにし、一方内圧が上がれば開方向に動作して内圧を低めて溶解度を下げるように作用することにより、空気の溶解度は一定化するものとなる。空気溶解度の方は、制御弁７２，７６の手動（あるいは自動）調節により可変であり、また、合流比率については制御弁７３を、補助空気供給量については制御弁８１の調節により行う。
尚、前記フラップ弁８９は付加ウエイト９１なしで弁自体を重くして構成することもできる。また、図１１に示すように、前部７１ａは内容量の大きな背高型タンクとすることがあり、この場合、タンク内上部域において空気が循環対流して汚水に対し空気の溶解がより効率的になされるようになる。さらに、前記空気溶解槽７１は複数列に配備することができる。
【符号の説明】
【００３１】  １…浮上分離装置  ２…浮上分離槽  ３…槽本体  ５…分離槽  １７…スクリュウコンベア  １８…ケーシング  １９…スカムガイド  ２０…スカム取込口  ２２…スクリュウ軸  ２３…掻揚スクリュウ  ２３ａ…スクリュウ本体  ２３ｂ…掬い揚げ突条  ２６…圧縮受盤  ３３…反発バネ  ３５…排出口  ４０…駆動源（駆動手段）  ４５、７０…加圧式空気溶解装置  ４６、７１…空気溶解槽。
【図１】
2014012263.tif 000003
【図２】
2014012263.tif 000004
【図３】
2014012263.tif 000005
【図４】
2014012263.tif 000006
【図５】
2014012263.tif 000007
【図６】
2014012263.tif 000008
【図７】
2014012263.tif 000009
【図８】
2014012263.tif 000010
【図９】
2014012263.tif 000011
【図１０】
2014012263.tif 000012
【図１１】
2014012263.tif 000013
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とする加圧浮上式スカム分離処理装置。
【手続補正２】
【補正対象書類名】明細書
【補正対象項目名】０００６
【補正方法】変更
【補正の内容】
【０００６】本発明は上記目的を達成するため、請求項１に記載の発明は、収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とする。
【手続補正３】
【補正対象書類名】明細書
【補正対象項目名】０００７
【補正方法】変更
【補正の内容】
【０００７】上述したように請求項１に記載の発明は、収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とするので、浮上分離槽で浮上するスカムを圧縮作用で脱水しながら掻揚排出することにより排出後の搬送が省エネのもとに可能となりしかも搬送先でのスカムと水分との分離工程を極力簡略化することができるようにした加圧浮上式スカム分離処理装置を提供することができる。特に、回転してくる掬い揚げ突条が、浮上してきたスカムを確実に掬い揚げることによって掻き揚げ作用を確実かつ多量化し、掬い揚げミスをなくすことができるとともに、圧縮作用によるスカムの脱水作用を積極的なものとし、さらに掬い揚げ突条の存在はスクリュウコンベアの補強にもなる。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とする加圧浮上式スカム分離処理装置。
【手続補正２】
【補正対象書類名】明細書
【補正対象項目名】全文
【補正方法】変更
【補正の内容】
【発明の詳細な説明】
【技術分野】
【０００１】  本発明は、加圧浮上式スカム分離処理装置に関する。
【背景技術】
【０００２】  収集したスカム含有汚水を浮上分離槽に導入するに当って加圧によりエアーを溶解させた水を伴って減圧下で噴出させてスカムの浮上を促進させることにより浮上したスカムを上部より排出するようにした加圧浮上方式は既に知られている技術である。そうした技術に関連するものとして、特許文献１に開示された技術がある。
【先行技術文献】
【特許文献】
【０００３】
【特許文献１】特許第４２３８２９７号
【発明の概要】
【発明が解決しようとする課題】
【０００４】  上記特許文献１による技術は、浮上したスカムを加圧浮上濃縮槽（浮上分離槽）に設けられたスカム排出トラフに向けて掻寄せるスクレーパと、前記加圧浮上濃縮槽の槽壁上部で、かつ、湾曲中心位置がその加圧浮上濃縮槽側に位置するように形成された湾曲面と、回転軸を有するとともに、その回転軸に羽根を有する、前記スクレーパで掻寄せられたスカムを前記スカム排出トラフに排出する前記湾曲面近くに設けられた排出機と、前記排出機の回転軸を回転駆動するとともに、その回転数を調整する機能を有する駆動源と、を有することを特徴とする。
このスカム加圧浮上濃縮装置は、浮上したスカムを加圧浮上濃縮槽から排出されたスカムを遠く離れたスカム処理施設へ円滑に搬送できるようにしたものであるが、浮上させたスカムを排出する手段は、掻寄板を外周に突設したチェーンであるスクレーパと、湾曲面に添って運動する掻上羽根付きで回転軸回りを回転する排出機とでなり、排出機からのスカムをスカム排出トラフへ排出するようにしたものであり、従って、浮上したスカムが水分を充分に含んだまま排出されるため、スカム処理施設への搬送に無駄な電力が消費し、しかも搬送先でスカムと水分とを再度分離する必要が出てくる。【０００５】  本発明は、こうした問題を解決しようとするものであり、浮上分離槽で浮上するスカムを圧縮作用で水切りしながら掻揚排出することにより排出後の搬送を省エネのもとに可能とししかも搬送先でのスカムと水分との分離工程を極力簡略化することができるようにした加圧浮上式スカム分離処理装置を提供することを目的とする。
【課題を解決するための手段】
【０００６】本発明は上記目的を達成するため、請求項１に記載の発明は、収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とする。
【発明の効果】
【０００７】上述したように請求項１に記載の発明は、収集したスカム含有汚水を加圧により空気を溶解させる加圧式空気溶解装置により発生する水とともに浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、少なくともスカム取込口に対応する掻揚スクリュウの周縁部には、前記傾斜方向上方へ向けて突出する掬い揚げ突条が設けられていることを特徴とするので、浮上分離槽で浮上するスカムを圧縮作用で脱水しながら掻揚排出することにより排出後の搬送が省エネのもとに可能となりしかも搬送先でのスカムと水分との分離工程を極力簡略化することができるようにした加圧浮上式スカム分離処理装置を提供することができる。特に、回転してくる掬い揚げ突条が、浮上してきたスカムを確実に掬い揚げることによって掻き揚げ作用を確実かつ多量化し、掬い揚げミスをなくすことができるとともに、圧縮作用によるスカムの脱水作用を積極的なものとし、さらに掬い揚げ突条の存在はスクリュウコンベアの補強にもなる。
【図面の簡単な説明】
【０００８】
【図１】本発明の加圧浮上式スカム分離処理装置の一実施形態を示す模式図。
【図２】図１のＡ部を拡大して示す断面図。
【図３】図２のＩＩＩ−ＩＩＩ線に沿う拡大断面図。
【図４】図１のスカムガイドの詳細をスクリュウコンベアとの関係において示す分解斜視図。
【図５】掬い揚げ突条の他の実施形態を示す断面図。
【図６】図１のＢ部を拡大して示す断面図。
【図７】図６のＶＩＩ−ＶＩＩ線断面図。
【図８】空気溶解槽についての他の実施形態を示す模式断面図。
【発明を実施するための形態】
【０００９】  以下、本発明である加圧浮上式スカム分離処理装置の一実施形態を図１ないし４に基づいて説明する。尚、以下、浮上分離装置や加圧水発生装置などは金属材料、特にステンレス材を使用することを基本とするが、そのことに限定されない。
【００１０】  図１において、１は浮上分離装置で、上方を開放状とし上からみて矩形槽とした浮上分離槽２を備える。浮上分離槽２は、槽本体３と分離槽５とを仕切り壁４を介して有し、これら槽本体３と分離槽５内には、レベルＨまで汚水６および分離水７が溜められる。８は連通管で、槽本体３と分離槽５とをつなぐパイプで、前後端にフィルター９を備えて浄化された水が分離水７として分離槽５内に導入されるようになっている。１０はオーバーフロー口で、前記水位Ｈを決めるもので、その水位Ｈは可動堰により上下に調節可能としてもよい。分離槽５内の分離水７は、このオーバーフロー口１０を通じて外部に排出される一方、分離槽５の底部からは、給水ポンプ１２の作動により給水管１１を通じて分離水７が引き抜かれ後述する加圧式空気溶解装置４５に導入するようになっている。
【００１１】  槽本体３内の下部には、減圧弁を兼ねた複数のノズル１３を備える供給管１４が槽本体３の前後方向に軸心を向けるようにして単一本あるいは複数本配備されている。この供給管１４には減圧弁を備えてもよい。
槽本体３と分離槽５とでなる浮上分離槽２の上部には、スカム排出装置であるスクリュウコンベア１７が約１５度傾斜した状態で固定設置されている。この傾斜角度は、２０度、３０度…のように変更することがある。スクリュウコンベア１７は、内径約３００ｍｍの円筒状をなすケーシング１８を備えるとともに、このケーシング１８の傾斜方向下部一端（テール側）は、閉止したものとされて槽本体３の前側（図１の左側）に固定支持される一方、傾斜方向上部一端（ヘッド側）は、同じく閉止したものとされて浮上分離槽２の後側（図１の右側）に張り出した状態で固定されている。
【００１２】  ２０はスカム取込口で、ケーシング１８の傾斜方向下部一端から傾斜方向上方へ離れた下周り位置に下からみると矩形の開口として形成されたもので、汚水６上に浮上してくるスカムＳを取り込むのに適応した位置に設けられている。２２はスクリュウ軸（あるいはパイプ）で、ケーシング１８の中心を通りその両端は軸受で回転自在に支持されるとともに、同スクリュウ軸２２の外周には掻揚スクリュウ２３が設けられている。掻揚スクリュウ２３は、板をラセン状にしたスクリュウ本体２３ａを備え、この本体２３ａは、上端がケーシング１８の上部端から７０ｃｍ程度手前に端部があるように形成されている。
【００１３】  本体２３ａのスカム取込口２０に対応する長さ以上の長さＬに亘る周縁部には、前記傾斜方向上方へ向けて突出する掬い揚げ突条２３ｂがラセン帯板として一体に設けられている。図３のように、この掬い揚げ突条２３ｂの突出量Ｗ１は、スクリュウ本体２３ａの外径Ｄを３００ｍｍとした場合、５０ｍｍ前後とされるが、Ｗ２のように７５ｍｍ前後としてもよく、また１００ｍｍ前後と大きく突出させることもある。この掬い揚げ突条２３ｂは、図３の右欄のようにアングル材をラセン状に形成した別体ものをスクリュウ本体２３ａの周縁に溶接あるいは止着固定してもよい。また、掬い揚げ突条２３ｂは、図５に示すように、丸ロッドや丸パイプあるいは角パイプ状のものにして溶接一体化するようにしてもよい。さらに、同掬い揚げ突条２３ｂは、Ｌに限定して一部に設けられているが、スクリュウ本体２３ａの全長に亘って設けてもよい。
【００１４】  ここで、図１、図２および図４の１９はスカムガイドを示す。浮上分離槽２の槽本体３は、その上方を開放したままにしてその槽内全面が水面となるようにして汚水６を溜めておきそこにスカムＳを浮上させる方式にしておくと、スカム取込口２０へのスカムＳの取り込みは消極的なものになる。そこで、汚水６から微細気泡とともに浮上してくるスカムＳをスカム取込口２０に確実かつ積極的に取り込めるようにスカムガイド１９を設けたものである。
【００１５】  スカムガイド１９は、図４にその詳細を示すように、前・後の斜面ガイドａ、ｂおよび左・右の斜面ガイドｃによる逆四角錐状のものとされて槽本体３内に周縁を隙間なく接することで固定されている。これら４面の斜面ガイドａ〜ｃの上部中央には、四角な連通筒ｅが一体に設けられている。尚、斜面ガイドｃは、直板を斜めにしたものであるが、湾曲した板材を使ってもよい。
【００１６】  この連通筒ｅは、左右の傾斜板状の対向壁ｆと前後の壁ｇ、ｈとを有する上下貫通状の筒部となっており、対向壁ｆは、図４のケーシング１８のスカム取込口２０の外縁に添って溶接されるように構成される一方、前後のうち前側の壁ｇは低く後側ｈを高くしてその上側に半円より短い円弧形の嵌合受溝ｉ、ｊを形成することで、これら嵌合受溝ｉ、ｊにスカム取込口２０の前後の外縁部が嵌まり込んで溶接されるようになっている。このように連通筒ｅがスカム取込口２０の外縁に適合することで、浮上してきたスカムＳが途中で詰まったりすることなく取り込まれることになる。図１および図２におけるＨは、汚水６の水面を示し、この水面Ｈは、連通筒ｅの嵌合受溝ｊの溝底高さ程度とされている。
【００１７】  尚、図４の右上に示すように、左右の壁ｆには取付フランジｋを設けて止着具ｍによりケーシング１８に脱着可能に構成してもよい。取付作業が簡略になるとともにメンテナンスも至便になる。前後の壁ｇ，ｈの湾曲する縁部に沿った湾曲板状をした取付フランジを設けて同じく脱着可能にしてもよい。
【００１８】  スクリュウ軸２２の傾斜方向上部周りには、図６および図７に示すように、圧縮受盤２６が装備されている。圧縮受盤２６は、ケーシング１８の内径よりも少し小さい外径をもった円板状の受板２７を本体として備え、同受板２７の中心に備えた中央ボス２８に滑動しやすい円筒樹脂製の内スライダ２９を備えてスクリュウ軸２２周りを軸方向に進退自在とし、さらに受板２７の外周にも滑動しやすい円筒樹脂製の外スライダ３０を備え付けてケーシング１８内周に添って進退自在にしてある。そして、受板２７の背部には、複数のガイドパイプ３１を突設する一方、ケーシング１８の端面側に突設したガイドバー３２を各ガイドパイプ３１に摺動自在に嵌め入れてある。ガイドバー３２周りには弾発手段である反発バネ３３を備えて掻揚スクリュウ２３によって掻き揚げられてきたスカムに圧縮作用を加えるべく圧縮受盤２６に反発力を常時与えるように構成されている。
【００１９】  ３５排出口で、ケーシング１８の傾斜方向上部下周りに開設され、同排出口３５の傾斜方向下端開口縁よりも傾斜方向下方寄り位置に復帰時の圧縮受盤２６が位置するようになっている。排出口３５には、搬送コンベア３６上のコンテナ３７内に圧縮済みのスカムを落とし込むためのシュート３８が設けられている。図１の４０は減速モーターである駆動源（駆動手段）で、伝導手段４１を介してスクリュウ軸２２を図６の矢印方向に回転駆動させるようになっている。
尚、図１の右上に示すように、掻揚スクリュウ２３を傾斜方向上方の端まで設けたものをここで排除するものではない。
また、シュート３８からのスカムは、ベルトなどのコンベアで直接搬送することもあるし、コンベアによらず移動可能なコンテナ３７に収集して搬送することもある。
【００２０】  図１における４５は加圧式空気溶解装置で、複数の空気溶解槽４６…を備える。各空気溶解槽４６には、並列式の入側配管４７を通じて前記給水管１１が連通されるとともに、出側配管４８とそれをまとめた合流管４９を通じて前記供給管１４に連通式に接続がなされている。各空気溶解槽４６の入側と出側には自動弁５０，５１が設けられている。尚、空気溶解槽４６は、２本配備されているが、後述するスカム含有汚水の収集量に適応すべく３本以上設けることがある。
【００２１】  空気溶解槽４６内には、その下部一側寄りに空気ノズル５３が設けられ、循環仕切板５４の周りを空気が循環運動しながら内水に空気が溶解するようになっている。空気ノズル５３は、各空気パイプ５５を通じてブロア（給気手段）５６に接続されている。ブロア５６はコンプレッサーに代えることができる。また、空気パイプ５５のそれぞれには空気自動弁５７が制御自在に設けられている。
【００２２】  ６０は汚水受槽で、沈澱池や濃縮槽などからの収集されたスカム含有汚水６１が導入されてくる。同受槽６０と前記合流管４９との間は汚水供給管６２で接続され、その管上には汚水ポンプ６３が設けられている。
【００２３】  この加圧浮上式スカム分離処理装置の作用を説明する。給水ポンプ１２を運転して分離槽５内の分離水７を利用して一方の空気溶解槽４６へ給水する。空気溶解槽４６への流入は入側自動弁５０（空気あるいは電動作動式）を開放してなされる。次に、一方の空気溶解槽４６に対応する自動弁５７を開くとともにブロア５６またはコンプレッサーを運転して空気ノズル５３によって微細化空気を空気溶解槽４６内に噴入することにより一方の空気溶解槽４６内の圧力を高めかつ内水を循環流とすることにより微細空気を内水に溶解させる。
その後、汚水ポンプ６３を運転してスカム含有汚水６１を汚水供給管６２まで送ると、それと同時に一方の空気溶解槽４６に対応する出側自動弁５１が開き、それによりスカム含有汚水と空気の溶解した加圧水とが混合し、その混合したものが、合流管４９および供給管１４からノズル１３…を通じて浮上分離槽２の本体槽３内に減圧された形で送り込まれる。
【００２４】  送り込まれた混合水からの微細気泡はスカムを付着して浮上してゆく。浮上したスカムＳはスカム取込口２０を通じて取り込まれて掻き揚げられてゆくが、スカム取込口２０へのスカムＳの取り込みは、スカムガイド１９による斜面ガイドにより円滑かつ確実になされる。スカム取込口２０からのスカムＳは、掻揚スクリュウ２３に付した掬い揚げ突条２３ｂによる掬い揚げ機能により確実に掬い揚げられることになる。掬い揚げられたスカムＳは、反発バネ３３に抗して圧縮受盤２６を押上げてゆき、図６の仮想線で示す圧縮受盤２６の位置より手前位置まで移動させながら脱水作用をし、さらに圧縮受盤２６を仮想線位置まで押上げてゆくことで排出口３５よりシュート３８へと排出する。一方、浮上分離槽２の本体槽３内の分離水は、その底部のフィルター９付き連通管８を通じて分離槽５内に導入されてオーバーフロー口１０を通じて排水される一方、前記のように加圧水として再利用される。
【００２５】  空気溶解槽４６が複数槽設けられていると、スカム含有汚水が多量化した場合に活用される。即ち、スカム含有汚水が通常量の場合には、一方の空気溶解槽４６のみで充足できるが、多量化した場合にはそれだけでは応じきれないので、他方の空気溶解槽４６も並行して運転し、図例の２本槽の場合には、一方の空気溶解槽４６において給水から加圧溶解をしさらに排出運転がなされる間それに時間差をもって並行して他方の空気溶解槽４６において同じ給水→加圧溶解→排出運転をすることで排出工程を連続して行うことができるものである。例えば、一方の空気溶解槽４６からの排出が終わるタイミングに他方の空気溶解槽４６からの排出開始タイミングを略合わせることで行われる。３本以上の空気溶解槽４６を構成した場合も同様のタイミングを設定する。
【００２６】  尚、一方の空気溶解槽４６からの排出が終わったあと一定の時間差をおいて他方の空気溶解槽４６の排出が開始されるようにタイミングをとってもよい。
また、空気溶解槽４６は、図８に示すように、多孔板や網状材などのエアー噴出材６６を外カバー６７の下開口に装着して微細エアーを導入可能にしてもよい。この場合、空気溶解槽４６内の残留分をドレンしたあとで空気噴出材６６を通じて空気を吹き込むことにより同空気噴出材６６の目詰まりを除去することができる。前記分離槽５には補給水管を通じて分離水を補充可能にしてもよい。
【符号の説明】
【００２７】１…浮上分離装置  ２…浮上分離槽  ３…槽本体  ５…分離槽  １７…スクリュウコンベア  １８…ケーシング  １９…スカムガイド  ２０…スカム取込口  ２２…スクリュウ軸  ２３…掻揚スクリュウ  ２３ａ…スクリュウ本体  ２３ｂ…掬い揚げ突条  ２６…圧縮受盤  ３３…反発バネ  ３５…排出口  ４０…駆動源（駆動手段）  ４５…加圧式空気溶解装置  ４６…空気溶解槽。
【手続補正３】
【補正対象書類名】図面
【補正対象項目名】図９
【補正方法】削除
【補正の内容】
【手続補正４】
【補正対象書類名】図面
【補正対象項目名】図１０
【補正方法】削除
【補正の内容】
【手続補正５】
【補正対象書類名】図面
【補正対象項目名】図１１
【補正方法】削除
【補正の内容】